(57)【特許請求の範囲】
【請求項１】
基材上に複数の板材を所定の隙間を存して配列固定してデッキを形成するためのデッキコネクタであって、
前記複数の板材の間に介在され前記基材に載置固定され両側部に隣り合う板材を夫々載置するベースプレートと、
前記ベースプレートの略中央に垂設され前記板材の板厚よりも短く且つ前記所定の隙間に応じた厚みを有するスペーサと、
前記スペーサの上部両側に前記ベースプレートと平行に突出して設けられ前記隣り合う板材の側面に打ち込まれてこれらの隣り合う板材を固定する爪片と
を備えたことを特徴とするデッキコネクタ。
【請求項２】
前記ベースプレートは、長手方向中央に前記スペーサが配置されると共に、前記基材に固定する固定手段を挿通する固定孔が前記スペーサを挟む両側にそれぞれ設けられている、請求項１のデッキコネクタ。
【請求項３】
前記スペーサは、前記隙間に応じた直径のボルト状をなし基端に前記ベースプレートに形成されたねじ孔に固定されるねじ部が、上端に回すための工具と係合する係合部が形成されている、請求項２のデッキコネクタ。
【請求項４】
前記ベースプレートは、直径の異なる前記ボルト状のスペーサのねじ部が螺合可能なねじ孔が複数設けられている、請求項３のデッキコネクタ。
【請求項５】
基材上に複数の板材を所定の隙間を存して配列固定してデッキを形成するためのデッキコネクタであって、
略コ字状をなし、下面のベースプレートが前記基材に載置固定されて前記複数の板材の最初の板材を載置し、垂直部が前記板材の外側面に当接し、上面の爪片が前記外側面に食い込んで固定する第１のデッキコネクタと、
前記最初の板材と前記複数の板材の最後の板材との間の各板材間に介在され前記基材に載置固定されて両側部に隣り合う板材を夫々載置するベースプレートと、前記ベースプレートの略中央に垂設され前記板材の板厚よりも短く且つ前記所定の隙間に応じた厚みを有するスペーサと、前記スペーサの上端両側に前記ベースプレートと平行に突出して設けられ前記隣り合う板材の側面に食い込んで固定する爪片とを有する第２のデッキコネクタと、
前記基材に載置固定され、前記複数の板材の最後の板材を載置するベースプレートと、前記ベースプレートに垂設され前記最後の板材の外側面を前記基材に固定する垂直部とを有する第３のデッキコネクタと
から成ることを特徴とするデッキコネクタ。
【発明の詳細な説明】
【０００１】
【産業上の利用分野】
本発明は、濡れ縁，ベランダ，デッキあるいはベンチ等の構造体を構築する際に使用するデッキコネクタに関する。
【０００２】
【従来の技術】
例えば、濡れ縁やベランダ等の構造体を構築するときは、複数の根太の上に濡れ縁やベランダ等となる肉厚の板材を、根太と直交する方向に複数平行に敷き詰め、これらを釘やボルト等の固定手段によって根太に固定していた。
このとき、各板材は、直接打ち込む釘で根太に固定したり、予め形成した凹部を利用して釘等を根太に打ち込んだ後、木栓等のキャップで前記凹部を塞いでいる。
【０００３】
【発明が解決しようとする課題】
ところで、板材を根太に固定する固定手段として釘等を使用すると、板材に釘を直接打ち込む場合には、釘の頭部が板材から突出してけがをする等の危険がある。また、凹部を利用して釘等で固定する場合には、凹部に溜まる水によって釘等が錆び易くなるうえ、凹部がキャップで塞がれて板材表面の外観が異なるため、構築される濡れ縁やベランダ等の構造体の美観が損なわれるという問題があった。
【０００４】
本発明は上記の点に鑑みてなされたもので、安全で美観に優れた濡れ縁やベランダ等の構造体を構築することが可能な板材の固定手段を提供することを目的とする。
【０００５】
【課題を解決するための手段】
本発明によれば上記目的を達成するため、基材上に複数の板材を所定の隙間を存して配列固定してデッキを形成するためのデッキコネクタであって、前記複数の板材の間に介在され前記基材に載置固定され両側部に隣り合う板材を夫々載置するベースプレートと、前記ベースプレートの略中央に垂設され前記板材の板厚よりも短く且つ前記所定の隙間に応じた厚みを有するスペーサと、前記スペーサの上部両側に前記ベースプレートと平行に突出して設けられ前記隣り合う板材の側面に打ち込まれてこれらの隣り合う板材を固定する爪片とを備えたデッキコネクタとしたものである。
【０００６】
好ましくは、前記ベースプレートは、長手方向中央に前記スペーサが配置されると共に、前記基材に固定する固定手段を挿通する固定孔が前記スペーサを挟む両側にそれぞれ設けられ、前記爪片は、前記スペーサの両側へそれぞれ突出するように形成されている構成とする。
また好ましくは、前記スペーサは、一端に前記ベースプレートに形成されたねじ孔に固定されるねじ部が、他端に係合部が形成されている構成とする。
【０００７】
更に好ましくは、前記ベースプレートは、前記ねじ孔が複数形成されている構成とする。
【０００８】
【作用】
ベースプレートは前記基材と板材との間に、また、スペーサは隣接する前記板材との間に隙間を形成する。少なくとも１つの爪片は、前記板材の側面に打ち込まれ、前記基材上に敷き詰められる板材がデッキコネクタによって基材上に固定される。
【０００９】
このとき、ベースプレートは、長手方向中央に前記スペーサが配置されると共に、前記基材に固定する固定手段を挿通する固定孔が前記スペーサを挟む両側にそれぞれ設けられ、前記爪片は、前記スペーサの両側へそれぞれ突出するように形成すると、ベースプレートで基材に固定され、スペーサの両側へそれぞれ突出する２つの爪片によって板材を固定する。
【００１０】
また、スペーサは、一端に前記ベースプレートに形成されたねじ孔に固定されるねじ部を、他端に係合部をそれぞれ形成すると、係合部に工具を係合させて回すことにより、板材の側面に打ち込まれた爪片が外れる。
更に、ベースプレートにねじ孔を複数形成すると、異なる直径のスペーサが使用でき、敷き詰める板材の敷設間隔、即ち、目地間隔が変更される。
【００１１】
【実施例】
以下、本発明の第一の実施例を図１乃至図４に基づいて詳細に説明する。
デッキコネクタ１は、図１に示すように、ベースプレート（以下、単に「ベース」という）１ａ，１ｂ、スペーサプレート（以下、単に「スペーサ」という）１ｃ及び爪片１ｄ，１ｅが一体に形成された、例えば、ＳＵＳ  ４３０  等のステンレスを打ち抜き及び鍛造加工等することによって製造されるコネクタである。
【００１２】
ベース１ａ，１ｂは、スペーサ１ｃの両側へそれぞれ互い違いに延出するように形成され、例えば、ベランダ等の構築に際しては、基材となる根太に固定される部分である。ベース１ａ，１ｂは、端部近傍に釘孔１ｆが設けられ、図示のように、釘孔１ｆに打ち込む釘２によって根太等の基材上に固定される。但し、ベース１ａ，１ｂは、いずれか一方が板材、例えば、角柱状の木材の下部になるため、他方に形成された釘孔１ｆを利用して基材に固定される。
【００１３】
ここで、釘孔１ｆは、釘２を打ち込む上側の周縁が僅かにテーパ状に成形されている。これにより、釘２を釘孔１ｆに打ち込んだときに、頭部２ａの下部が釘孔１ｆ内に収まると共に、頭部２ａの上面がベース１ａ，１ｂと面一となって突出することがない。尚、釘２は、表面に錆止めのための溶融亜鉛メッキが施されている。
【００１４】
スペーサ１ｃは、ベランダ等となる板材の厚みよりも短く、ベース１ａ，１ｂの板面に対して垂直に形成され、幅方向中央上部が半円形に成形され、上部近傍に釘孔１ｇが設けられている。
ここで、スペーサ１ｃは、幅方向中央上部を半円形に成形したことにより、例えば、角柱状の木材等を用いてベランダ等を構築したとき、上部を端面に形成した場合に比較して、ベランダ等の表面から見たときの光の反射を抑え、金属色が目立たないように配慮されている。また、釘孔１ｇは、釘孔１ｆと同様に、スペーサ１ｃの板面両側の周縁が僅かにテーパ状に成形され、釘を使用しても釘の頭部が突出することはない。尚、釘孔１ｇは、必ずしも必要ではなく、爪片１ｄ，１ｅによって木材の木端（こば）に固定されるスペーサ１ｃを、木材が幅広の場合等に更に釘で補強する際の予備として使用される。
【００１５】
爪片１ｄ，１ｅは、等辺三角形状で、それぞれベース１ａ，１ｂの板面に対して平行に突出し、それぞれスペーサ１ｃを境にしてベース１ａ，１ｂと異なる側に突出している。従って、デッキコネクタ１は、いずれの向きでも使用可能で爪片１ｄ，１ｅの方向性がないので、使い勝手に優れている。
本発明のデッキコネクタ１は、以上のように構成されており、例えば、ベランダを構築するときに以下のようにして使用される。
【００１６】
先ず、図２（ａ）に示すように、複数配列された各根太１０の端部にスタータ３を配置する。スタータ３は、図３に示すように、ベース３ａ、スペーサ３ｂ及び爪片３ｃによってコ字形に成形されたコネクタで、ベース３ａ及びスペーサ３ｂにはそれぞれ釘孔３ｄ，３ｅが設けられている。このとき、スタータ３は、図２（ａ）に示すように、爪片３ｃを内側に向けて配置し、ベース３ａの釘孔３ｄに図１に示した釘２を打ち込んで根太１０に固定される。このとき、各スタータ３は、予め根太１０の表面に描いた位置決め線等に沿って配置する。
【００１７】
次に、複数の根太１０と直交させて第１番目の木材１１を、スタータ３のベース３ａに載せる。そして、各スタータ３に対応する位置で、木材１１を押さえ付けながら一方の木端１１ａを木槌等で叩き、図２（ｂ）に示すように、他方の木端１１ｂにスタータ３の爪片３ｃを打ち込む。
尚、各根太１０の位置においては同様の作業が繰り返されるので、以下の説明においては、一つの根太１０の位置における作業のみについて説明し、他の根太１０における作業についての説明は省略する。
【００１８】
次いで、一方のベース１ｂを木材１１の一方の木端１１ａ側から根太１０との間に挿入し、デッキコネクタ１を根太１０と木材１１との交差部に配置する。そして、木材１１を押さえ付けながらスペーサ１ｃをハンマー等で叩き、爪片１ｅを木材１１の一方の木端１１ａに打ち込む。
しかる後、図２（ｃ）に示すように、木材１１から延出している他方のベース１ｂの釘孔１ｆに釘２を打ち込む。これにより、デッキコネクタ１が根太１０に固定されると共に、第一の木材１１がデッキコネクタ１の爪片１ｅとスタータ３の爪片３ｃとによって保持される。このとき、木材１１が幅広等の場合には、スペーサ１ｃの釘孔１ｇから釘２を第一の木材１１の一方の木端に打ち込んで保持強度を増すことも可能である。
【００１９】
次に、第２番目の木材１２を、木材１１から根太１０上に延出している他方のベース１ａ上に載せ、前記と同様にして、図２（ｄ）に示すように、木材１２を押さえ付けながら一方の木端１２ａを木槌等で叩き、他方の木端１２ｂにデッキコネクタ１の爪片１ｄを打ち込む。
次いで、ベース１ｂを木材１２の木端１２ａ側から根太１０との間に挿入し、新たなデッキコネクタ１を根太１０と木材１２との交差部に配置する。
【００２０】
そして、木材１２を押さえ付けながらスペーサ１ｃをハンマー等で叩き、爪片１ｅを木材１２の一方の木端１２ａに打ち込む。
しかる後、ベース１ａの釘孔１ｆに釘２を打ち込んで新たなデッキコネクタ１を根太１０に固定する。
以下、同様にして、第３番目の木材１３以降をデッキコネクタ１によって根太１０に固定してゆく。
【００２１】
そして、最後の木材は、デッキコネクタ１の爪片１ｄと図３に示すエンドコネクタ５とによって根太１０に固定され、ベランダの構築が完了する。ここで、エンドコネクタ５は、ベース５ａ及びベース５ａの略中央から立ち上がるスペーサ５ｂとを有しており、ベース５ａ及びスペーサ５ｂの端部にはそれぞれ釘孔５ｃ，５ｄがそれぞれ設けられている。
【００２２】
このように、木材１１，１２等を根太１０に固定するときに、デッキコネクタ１を用いると、釘が木材の表面に突出することがないので、構築されたベランダの見栄えがよく、安全に使用できる。
しかも、デッキコネクタ１は、図１及び上記説明から明らかなように、点対称に形成されているため、ベース１ａ，１ｂがいずれの向きの場合であっても使用可能であり、ベランダの構築作業に際して方向性がないので、非常に使い勝手が良い。
【００２３】
また、デッキコネクタ１を用いると、ベース１ａ，１ｂやスペーサ１ｃによって、敷き詰められる木材相互間及び根太１０の間に隙間が形成され、構築されたベランダの雨水などの水はけが良いうえ、木材相互間に形成される隙間がスペーサ１ｃの厚さ程度しかないので、その上を歩行するときにハイヒールの踵が木材の間にはまりこむことがない等の多くの利点がある。
【００２４】
次に、構築したベランダから修理のため特定の木材を取り外す場合等に特に有効な、本発明の第二の実施例を図５に基づいて詳細に説明する。
デッキコネクタ７は、ベース７ａ、スペーサ７ｂ及び爪片７ｃ，７ｄが一体に形成されている。
ベース７ａは、両端近傍に周縁を僅かにテーパ状に成形した釘孔７ｅが、略中央に直径の異なるねじ孔７ｆ，７ｇが、それぞれ形成され、釘孔７ｅに打ち込む釘２によって根太等の基材上に固定される。但し、ベース７ａは、いずれか一方側が板材、例えば、角柱状の木材の下部になるため、他方側に形成された釘孔７ｅを利用して基材に固定される。
【００２５】
スペーサ７ｂは、ベランダ等となる板材の厚みよりも短いボルト状の部材で、一端にベース７ａに形成されたねじ孔７ｆ，７ｇのいずれか一方に固定されるねじ部７ｈが、他端に六角レンチが係合する係合穴７ｊが形成されている。スペーサ７ｂは、ベース７ａに対して垂直に固定され、敷き詰める板材の敷設間隔、即ち、目地間隔に応じて異なる直径のものが使用可能で、異なる直径のものを使用するために、ベース７ａに形成したねじ孔７ｆ，７ｇは直径が異なったものとされている。
【００２６】
爪片７ｃ，７ｄは、先端側を厚肉に形成した刃状の爪で、ベース７ａに対して平行に突出し、それぞれスペーサ７ｂを境にして異なる側に突出している。従って、デッキコネクタ７は、いずれの向きでも使用可能で爪片７ｃ，７ｄの方向性がないので、使い勝手に優れている。
以上のように構成されるデッキコネクタ７は、例えば、デッキコネクタ１に関する説明に使用した図２（ｃ），（ｄ）の場合に即して説明すると、ベース７ａの一方側を木材１１の一方の木端１１ａ側から根太１０との間に挿入し、デッキコネクタ７を根太１０と木材１１との交差部に配置する。そして、木材１１を押さえ付けながらスペーサ７ｂをハンマー等で叩き、爪片７ｄを木材１１の一方の木端１１ａに打ち込む。
【００２７】
しかる後、木材１１から延出しているベース７ａの他方側の釘孔７ｅに釘２を打ち込む。これにより、デッキコネクタ７が根太１０に固定されると共に、第一の木材１１がデッキコネクタ７の爪片７ｄとスタータ３の爪片３ｃとによって保持される。
次に、第２番目の木材１２を、木材１１から根太１０上に延出しているベース７ａの他方に載せ、前記と同様にして、木材１２を押さえ付けながら一方の木端１２ａを木槌等で叩き、他方の木端１２ｂにデッキコネクタ７の爪片７ｃを打ち込む。
【００２８】
以下、同様にして、第３番目の木材１３以降をデッキコネクタ１によって根太１０に固定してゆく。
そして、最後の木材は、デッキコネクタ１の爪片１ｄとエンドコネクタ５とによって根太１０に固定され、ベランダの構築が完了する。
ここで、本実施例のデッキコネクタ７は、スペーサ７ｂがベースプレート７ａのねじ孔７ｆ，７ｇにねじ止めされ、係合穴７ｊを備えている。このため、構築したベランダから修理のため特定の木材を取り外す場合等には、係合穴７ｊに六角棒スパナを係合して半時計方向に回す。
【００２９】
すると、先端側を厚肉に形成した刃状の爪片７ｃ，７ｄが、隣接する板材の木端から外れ、特定の木材のみを取り外すことができる。このため、本実施例のデッキコネクタ７を使用すると、構築したベランダ等の修繕等に際して、特定の木材を固定した部分までの全てのデッキコネクタ及び個々の木材を取り外す必要がないので、アフタケアを非常に簡単に行うことが可能である。
【００３０】
ここで、本実施例のデッキコネクタ７は、係合部が係合穴７ｊの場合について説明したが、この逆に、ナットドライバーを嵌めてスペーサ７ｂを回動させることが可能なように、スペーサ７ｂの直径より小さい呼び寸法の六角柱状の突起としてもよい。
尚、上記実施例ではデッキコネクタを木製の素材に使用した場合について説明したが、本発明のデッキコネクタはこれらの他、木材の代用品として使用される素材、例えば合成樹脂等でも使用可能なことは言うまでもない。
【００３１】
また、本発明のデッキコネクタを使用して基材上に固定する板材が厚い場合等には、デッキコネクタを基材上に固定する固定手段として前記釘の他にねじ釘やボルト等を使用してもよい。
更に、上記実施例では板材を複数敷き詰める基材として、根太の場合について説明したが、根太に限定されるものでないことは言うまでもなく、例えば、鉄骨にねじ孔あるいはボルト孔を形成し、これらの孔を利用してねじやボルトでデッキコネクタを鉄骨に固定してもよい。
【００３２】
【発明の効果】
以上の説明で明らかなように、本発明のデッキコネクタにおいては、ベースプレートは基材と板材との間に、また、スペーサは隣接する前記板材との間に隙間を形成する。また、爪片は、前記隣接する板材の側面に打ち込まれ、前記基材上に敷き詰められる板材がデッキコネクタによって基材上に固定される。従って、本発明によれば、安全で美観に優れた濡れ縁やベランダ等の構造体を構築することが可能な板材の固定手段が提供される。
【００３３】
このとき、ベースプレートは、長手方向中央に前記スペーサが配置されると共に、前記スペーサを挟む両側に基材に固定する固定手段を挿通する固定孔が前記スペーサを挟む両側にそれぞれ設けられ、前記爪片は、前記スペーサの両側へそれぞれ突出するように形成されていることで、デッキコネクタはベースプレートで基材に固定され、スペーサの両側へそれぞれ突出する２つの爪片によって板材を固定することができる。
【００３４】
また、スペーサは、一端に前記ベースプレートに形成されたねじ孔に固定されるねじ部を、他端に係合穴をそれぞれ形成したので、係合穴に工具を係合させて回すことにより、板材の側面に打ち込まれた爪片を外すことができ、所望の板材のみを取り外すことが可能となる。
更に、ベースプレートにねじ孔を複数形成するので、異なる直径のスペーサが使用でき、敷き詰める板材の敷設間隔、即ち、目地間隔を任意に変更できる。
【図面の簡単な説明】
【図１】本発明の第一の実施例に係るデッキコネクタ及びデッキコネクタ固定用の釘を示す斜視図である。
【図２】図１のデッキコネクタの使用例を示す一部を断面にした側面図である。
【図３】図１のデッキコネクタを用いて構築したベランダの要部を示す斜視図である。
【図４】本発明の第二の実施例に係るデッキコネクタを示す斜視図である。
【符号の説明】
１                デッキコネクタ
１ａ，１ｂ        ベース
１ｃ              スペーサ
１ｄ，１ｅ        爪片
１ｆ              釘孔（ベース側）
１ｇ              釘孔（スペーサ側）
２                釘
７                デッキコネクタ
７ａ              ベース
７ｂ              スペーサ
７ｃ，７ｄ        爪片
７ｅ              釘孔
７ｆ，７ｇ        ねじ孔
７ｈ              ねじ部
７ｊ              係合穴
１０              根太（基材）
１１，１２，１３        木材
【図１】
0003609129.tif 000002
【図２】
0003609129.tif 000003
【図３】
0003609129.tif 000004
【図４】
0003609129.tif 000005